(57)【特許請求の範囲】
【請求項１】
音波を収集するマイクロホン部、診断用波形信号を記憶した第１記憶部、前記マイクロホン部で集音された波形信号を記憶する第２記憶部、診断用の規格値を記憶した第３記憶部、前記第２記憶部に記憶された波形信号を前記第３記憶部に記憶された規格値に基づいて診断する制御部、音響機器との接続端子を備え、
音響機器から診断手順を受信し、前記診断手順に基づき前記第１記憶部から読み出しスピーカより放射した前記診断用波形信号を、前記マイクロホン部で受信し、前記マイクロホン部で集音された波形信号を前記第２記憶部に記憶し、前記波形信号を前記第３記憶部に記憶された規格値に基づき診断した結果を記憶することを特徴とする診断機器。
【請求項２】
診断用波形信号を音波に変換するスピーカを備えた音響機器と、
前記音波を収集するマイクロホン部、前記診断用波形信号を記憶した第１記憶部、前記マイクロホン部で集音された波形信号を記憶する第２記憶部、診断用の規格値を記憶した第３記憶部、前記第２記憶部に記憶された前記波形信号を前記第３記憶部に記憶された規格値に基づいて診断する制御部、前記音響機器との接続端子を備えた診断機器と、
からなる音響診断システムにおいて、
前記音響機器は、
診断手順を記憶した第４記憶部を有し、前記第４記憶部に記憶された診断手順に基づいて、前記第１記憶部に記憶された診断用波形信号を読み出し、該診断用波形信号を前記スピーカから出力し、
前記診断機器は、
前記マイクロホン部で集音された波形信号を前記第２記憶部に記憶し、前記波形信号を前記第３記憶部に記憶された規格値に基づき診断した結果を自身に記憶することを特徴とする音響診断システム。
【請求項３】
前記音響機器は、
前記第４記憶部に記憶された識別子を前記診断機器に送信し、
前記診断機器は、
診断可能な音響機器の識別子を記憶した仕様メモリ部を有し、
前記第４記憶部に記憶された識別子と前記仕様メモリ部に記憶した識別子とが一致した場合に、前記診断を実施することを特徴とする請求項２記載の音響診断システム。
【請求項４】
診断可能な音響機器の識別子を記憶した仕様メモリ部を有し、
前記音響機器から受信した識別子と前記仕様メモリ部に記憶した識別子とが一致した場合に、前記診断を実施することを特徴とする請求項１記載の診断機器。
【発明の詳細な説明】
【技術分野】
【０００１】
この発明は、音響診断システムおよびその診断機器に関する。
【背景技術】
【０００２】
従来、音響機器を診断する場合、診断用の波形信号を出力する信号発生器と、音響機器の備えるスピーカから出力された音波を集音して電気信号に変換し、分析する周波数分析機器とを用意し、信号発生器から出力される診断用の波形信号を診断対象である音響機器に入力し、音響機器で再生されスピーカから出力された音波を前記周波数分析機器で分析した結果を該音響機器の出荷時における特性と比較する等して、音響機器の異常の有無を判断していた。また音響用ではないが、異常を検出するものとしてハードディスクを駆動する駆動モータへ電力を供給する電力線を流れる電流を測定する電界型電流計を設け、該電流の変化により異常を検出するものがある。
【０００３】
【特許文献１】特開２００４−３１８８１９号公報
【発明の開示】
【発明が解決しようとする課題】
【０００４】
従来は上記のように音響機器の診断を行っていた。しかし、周波数分析機器の使用方法は複雑であり、ユーザが音響機器の特性劣化や異常の有無を診断するのは容易ではないという課題があった。また、ユーザが自己の経験に基づいて診断していたので、診断結果に誤差が生じるという課題があった。また、電流を測定する電界型電流計を設けたものでも音響機器の異常を検出することは困難である。
【０００５】
この発明は、上記のような課題を解決するためになされたもので、容易かつ確実に音響機器を診断できる音響診断システムおよびその診断機器を得ることを目的とする。
【課題を解決するための手段】
【０００６】
この発明に係る音響診断システムは、診断用波形信号を音波に変換するスピーカを備えた音響機器と、前記音波を収集するマイクロホン部、前記診断用波形信号を記憶した第１記憶部、前記マイクロホン部で集音された波形信号を記憶する第２記憶部、診断用の規格値を記憶した第３記憶部、前記第２記憶部に記憶された前記波形信号を前記第３記憶部に記憶された規格値に基づいて診断する制御部、前記音響機器との接続端子を備えた診断機器とからなり、前記音響機器は、診断手順を記憶した第４記憶部を有し、前記第４記憶部に記憶された診断手順に基づいて、前記第１記憶部に記憶された診断用波形信号を読み出し、該診断用波形信号を前記スピーカから出力し、前記診断機器は、前記マイクロホン部で集音された波形信号を前記第２記憶部に記憶し、前記波形信号を前記第３記憶部に記憶された規格値に基づき診断した結果を自身に記憶することを特徴とする。
【発明の効果】
【０００７】
この発明によれば、上記のように構成したので、容易かつ確実に音響機器を診断できる効果がある。
【発明を実施するための最良の形態】
【０００８】
以下、この発明における、実施の形態の一例について、添付の図面に従って説明する。
実施の形態１．
図１は、この実施の形態１による音響診断システムを示した図である。なおこの実施の形態１では、音響機器として４つのスピーカを有する車載用音響機器を例に説明するが、スピーカは４つに限られない。また、音響機器も車載用に限られるものではない。
【０００９】
この実施の形態１による音響診断システムは、マイクロホン部１１を接続した診断機器１０と、この診断機器１０を接続するＵＳＢ（Universal Serial Bus）端子２１、ユーザへ情報を表示しタッチパネル機能を有する表示部２４、音響機器２０の仕様および音響診断手順（シーケンスプログラム）を記憶する記憶部（第４記憶部）２５、音響機器２０の制御を行う制御部２６を備えた音響機器２０と、音響機器２０と接続され音響機器２０から出力された信号を増幅するアンプ２２ａから２２ｄと、アンプ２２ａから２２ｄから出力される増幅後の信号をそれぞれ音波として放射するスピーカ２３ａから２３ｄとを有する。なお、スピーカ２３ａ、２３ｂ、２３ｃ、２３ｄは、それぞれチャンネル番号１から４に対応している。
【００１０】
図２は、この実施の形態１による診断機器１０およびマイクロホン部１１の構成図である。この実施の形態１による診断機器１０は、ＵＳＢＩ／Ｆ（Interface）部（接続端子）１２と、制御部１３と、記憶部１４とを備える。ＵＳＢＩ／Ｆ部１２は、診断機器１０を音響機器２０に接続し通信するための端子である。制御部１３は、診断機器１０全体の制御を行い、主としてマイクロホン部１１で集音された波形信号を診断し、該診断結果および収集した波形信号を記憶部１４へ記憶する。また、マイクロホン部１１は、音響機器２０のスピーカ２３ａから２３ｄから放射された音波を収集する電気音響変換部１１ａと、電気音響変換部１１ａで収集した音波を増幅するアンプ１１ｂと、アンプ１１ｂから出力されるアナログ信号をデジタル信号へ変換するＡ／Ｄ変換部１１ｃとから構成される。
【００１１】
記憶部１４は、音響機器２０の異常の有無を診断するための規格値を記憶した診断メモリ部１４ａ、診断機器１０が診断可能な音響機器２０の仕様を記憶した仕様メモリ部１４ｂ、音響機器２０の測定項目毎に診断用の波形信号を記憶した波形メモリ部１４ｄ、マイクロホン部１１で集音した音波の波形信号を記憶する集音メモリ部１４ｅ、集音メモリ部１４ｅに記憶された波形信号の測定項目およびスピーカ番号を対応づけたテーブルデータを記憶する測定メモリ部１４ｃから構成される。また、波形メモリ部１４ｄは、さらに複数の区画（波形メモリ１から４）に論理分割され各区画に一種類の波形信号が記憶される。同様に、集音メモリ部１４ｅも、複数の区画（集音メモリ１から１２）に論理分割され各区画に一種類の波形信号が記憶される。
【００１２】
図３は、診断メモリ１４ａ（第３記憶部）に記憶された情報を示した図である。診断メモリ１４ａには、予め測定項目およびスピーカに対する規格値が記憶されており、実際の測定値と前記規格値とが比較、診断され、該診断結果が記憶される。なお、測定値の算出および診断は、制御部１３により行われ、診断メモリ１４ａに記憶される。
【００１３】
図４は、仕様メモリ部１４ｂに記憶された情報の一例を示した図である。仕様メモリ部１４ｂには、この実施の形態１による診断機器１０が診断可能な音響機器２０のＶＥＮＤＥＲ＿ＩＤ（ベンダー識別子）、ＰＲＯＤＵＣＴ＿ＩＤ（製品識別子）、型名等が予め記憶されている。図４に示した例であれば、ＶＥＮＤＥＲ＿ＩＤ「０ＦＦＦ」、ＰＲＯＤＵＣＴ＿ＩＤ「００１０」、型名「ＡＵＤＩＯ００１」を有する音響機器２０の診断が可能であることになる。その他の項目は、診断機器１０が音響機器２０に接続される前はブランク（空欄）になっており、診断機器１０が音響機器２０に接続されると、音響機器２０の記憶部２５に記憶されている仕様をブランクに書き込んで記憶する。
【００１４】
また、音響機器２０は、ラジオ放送受信機能を有しており、受信動作時に受信不良などの異常が発生した場合、その情報がエラー情報として音響機器２０の記憶部２５に記憶されている場合には、図４に示すように、上記接続時に診断機器１０の仕様メモリ部１４ｂに記憶される。また、ＣＤ（Compact Disc）のＴＯＣ（Table of Contents）の読み込み不能等の異常についても同様に、その情報がエラー情報として音響機器２０の記憶部２５に記憶されている場合には、上記接続時に診断機器１０の仕様メモリ部１４ｂに記憶される。
【００１５】
図５は、測定メモリ部１４ｃに記憶された情報を示した図である。集音メモリ部１４ｅに記憶された波形信号が、どのチャンネル番号（スピーカ）および測定項目に対応するものであるかがわかるように、集音後の波形信号の番号、測定項目、およびチャンネル番号を対応づけたテーブルデータが記憶されている。ここで測定項目ＡはＳｗｅｅｐ（スイープ）、測定項目Ｂは混変調歪、測定項目Ｃはインパルス応答である。またチャンネル１から４は、それぞれ音響機器２０が備えるスピーカ２３ａから２３ｄに対応している。
【００１６】
次に、各測定項目ＡからＣについて説明する。
図６は、測定項目Ａを測定したときに得られる波形信号の一例であり、一定の振幅で周波数を変化させたＳｗｅｅｐ波形信号を音響機器２０に入力し、スピーカ２３ａから放射された音波をマイクロホン部１１で集音した波形信号の一例である。なお、該波形信号の振幅の実効値が、図３の測定値Ｖ１となる。スピーカ２３ｂから２３ｄについても同様に測定値Ｖ２からＶ４が算出される。
【００１７】
図７は、測定項目Ｂを測定したときの波形信号の一例であり、７ｋＨｚの正弦波信号と６０Ｈｚの正弦波信号を音響機器２０に入力し、スピーカ２３ａから放射された音波をマイクロホン部１１で集音した波形信号の一例である。該波形信号は、入力された７ｋＨｚと６０Ｈｚ以外の周波数においてもスピーカ２３ａの特性に応じて歪成分Ｅ１からＥ５が存在する。これらの歪成分Ｅ１からＥ５を下記の式（１）に代入して、図３の測定値Ｄ１（歪率）が算出される。また、他のスピーカ２３ｂから２３ｄも同様に測定値Ｄ２からＤ４が算出される。
【数１】
0005105977.tif 000002
【００１８】
図８は、測定項目Ｃを測定したときの波形信号の一例であり、インパルス波を音響機器２０に入力し、スピーカ２３ａから放射された音波をマイクロホン部１１で集音した波形信号の一例である。該波形信号は、図８に示すようにスピーカ２３ａの特性に応じた減衰特性を有する。なお、インパルス特性の算出については演算量が多いため、この実施の形態１による診断機器１０では、測定値の算出はおこなわず、該波形信号を記憶するだけであるが、可能であれば該測定値を算出し、規格値と比較するようにしてもよい。
【００１９】
次に動作について説明する。
図９は、この実施の形態１による診断機器１０と音響機器２０の集音動作を示したフローチャートである。音響機器２０のＵＳＢ端子２１に、診断機器１０のＵＳＢＩ／Ｆ１２を接続すると、音響機器２０から電力が供給され、診断機器１０の電源がオンとなる。診断機器１０のＵＳＢＩ／Ｆ１２の通信線Ｄ＋／Ｄ−端子は、どちらか一方の電圧がハイになっており、音響機器２０により、通信線Ｄ＋／Ｄ−端子の電圧および通信速度が検出された後、電圧がハイからローへ引き下げられＲＥＳＥＴ（リセット）が行われる（ステップＳＴ１）。
【００２０】
次に、音響機器２０は、診断機器１０に対して、デバイス情報を要求することによりコンフィギュレーションを実行して、リンクを確立する（ステップＳＴ２）。次に、音響機器２０の制御部２６は、診断機器１０の仕様メモリ部１４ｂに記憶されたＶＥＮＤＥＲ＿ＩＤ、ＰＲＯＤＵＣＴ＿ＩＤ、型名を確認して、自己の記憶部２５に記憶された仕様から、ＶＥＮＤＥＲ＿ＩＤ、ＰＲＯＤＵＣＴ＿ＩＤ、型名が一致するか否かを判定する（ステップＳＴ３）。ステップＳＴ３で、ＶＥＮＤＥＲ＿ＩＤ等が一致しない場合、音響機器２０の制御部２６は、その動作を終了し、ＶＥＮＤＥＲ＿ＩＤ等が一致する場合、表示部２４に選局ボタンのマークを表示し、該選局ボタンのマークがユーザにより２秒以上押されると、記憶部２５に記憶されたシーケンスプログラムを読み込んで診断モードとなる（ステップＳＴ４）。また、ステップＳＴ４にて、選局ボタンのマークが２秒以上押されない場合は、その動作を終了する。
【００２１】
次に、制御部２６は、診断機器１０の波形メモリ部１４ｄに記憶されている波形信号の個数および該波形信号が記憶されているアドレスを読み出す（ステップＳＴ５）。次に、制御部２６は、記憶部２５に記憶されている型名、製造年月日、ＡＭ／ＦＭ（Amplitude Modulation／Frequency Modulation）受信機能、ＣＤ（Compact Disc）／ＤＶＤ再生機能の有無、再生チャンネル（スピーカ）数、各チャンネルの減衰比等を診断機器１０の仕様メモリ部１４ｂに書き込む（ステップＳＴ６）。次に、制御部２６は、ユーザにより設定変更された低音、高音等の音質設定を工場出荷時の値であるデフォルト値に戻す（ステップＳＴ７）。
【００２２】
次に、制御部２６は、チャンネル番号を１、測定項目をＡと設定する（ステップＳＴ８）。次に、制御部２６は、診断機器１０の波形メモリ部１４ｄから測定項目ＡのＳｗｅｅｐ診断用の波形信号を読み出して（ステップＳＴ９）、チャンネル１（スピーカ２３ａ）の伝送経路のゲインを０ｄＢ（デシベル）、その他のチャンネルの伝送経路のゲインをー∞ｄＢに設定する。次に、制御部２６は、ステップＳＴ９で取得したＳｗｅｅｐ診断用の波形信号をチャンネル１に出力する（ステップＳＴ１０）。制御部２６から出力された波形信号は、アンプ２２ａで増幅されスピーカ２３ａから音波として放射される。
【００２３】
次に、スピーカ２３ａから放射された音波は、診断機器１０の電気音響変換部１１ａで集音されて（ステップＳＴ１１）波形信号に変換された後、アンプ１１ｂで増幅され、Ａ／Ｄ変換部１１ｃでアナログ信号からデジタル信号に変換される。Ａ／Ｄ変換部１１ｃから出力された波形信号は、制御部１３により固有番号を付されて集音メモリ部１４ｅに記憶される。また、制御部１３は、前記波形信号に付した固有番号、診断項目、およびチャンネル番号を対応づけて測定メモリ部１４ｃに記憶する（ステップＳＴ１２）。次に、音響機器２０の制御部２６は、チャンネル番号を一つ進め（ステップＳＴ１３）、最後のチャンネル４まで測定が終了したかを判定する（ステップＳＴ１４）。
【００２４】
ステップＳＴ１４で最後のチャンネル４まで測定が終了していない場合、制御部２６は、最後のチャンネル４の測定が終了するまでステップＳＴ１０からステップＳＴ１４までの処理を行う。また、ステップＳＴ１４で最後のチャンネル４まで測定が終了している場合、制御部２６は、測定項目を一つ進めて（ステップＳＴ１５）、最後の測定項目Ｃの測定が終了したかを判定する（ステップＳＴ１６）。ステップＳＴ１６で最後の測定項目Ｃまで測定が終了していない場合、制御部２６は、最後の測定項目Ｃの測定が終了するまでステップＳＴ９からステップＳＴ１６までの処理を行い、その処理を終了する。
【００２５】
図１０は、この実施の形態１による診断機器１０の診断動作を示したフローチャートである。診断機器１０の制御部１３は、チャンネル番号を１、測定項目をＡと設定し（ステップＳＴ２１）、測定メモリ部１４ｃを参照して、測定項目Ａ、チャンネル１の波形信号１−Ａを集音メモリ部１４ｅ（第２記憶部）から読み出す（ステップＳＴ２２）。次に、制御部１３は波形信号１−Ａの振幅の実効値を計算して測定値Ｖ１を算出し、診断メモリ１４ａに記憶する（ステップＳＴ２３）。次に制御部１３は、測定値Ｖ１を規格値ＳＶ１で割った値の絶対値Ｒ１を算出し、Ｒ１が３ｄＢ以内であれば正常であるとして○（ＥＲＲ０）を、Ｒ１が３ｄＢより大きく１０ｄＢ以下であれば要検査であるとして△（ＥＲＲ１）を、Ｒ１が１０ｄＢより大きければ、異常であるとして×（ＥＲＲ２）を診断メモリ１４ａに記憶する（ステップＳＴ２４）。
【００２６】
次に、制御部１３は、チャンネル番号を一つ進め（ステップＳＴ２５）、最後のチャンネル４まで診断が終了したかを判定する（ステップＳＴ２６）。ステップＳＴ２６で最後のチャンネル４まで診断が終了していない場合、制御部１３は、最後のチャンネル４の診断が終了するまでステップＳＴ２２からステップＳＴ２６までの処理を行う。また、ステップＳＴ２６で最後のチャンネル４まで診断が終了している場合、制御部１３は、測定項目を一つ進めて測定項目Ｂの診断に移る（ステップＳＴ２７）。
【００２７】
制御部１３は、測定項目Ｂ、チャンネル１の波形信号１−Ｂを集音メモリ部１４ｅ  から読み出す（ステップＳＴ２８）。次に、制御部１３は波形信号１−Ｂの混変調歪を上述した（１）式を用いて算出し、測定値Ｄ１として診断メモリ１４ａに記憶する（ステップＳＴ２９）。次に制御部１３は、測定値Ｄ１と規格値ＳＤ１とを比較し、測定値Ｄ１が規格値ＳＤ１の値よりも小さければ正常であるとして○（ＥＲＲ０）を、測定値Ｄ１が規格値ＳＤ１より大きく、規格値ＳＤ１の２倍以下であれば要検査であるとして△（ＥＲＲ１）を、測定値Ｄ１が規格値ＳＤ１の２倍より大きければ、異常であるとして×（ＥＲＲ２）を診断メモリ１４ａに記憶する（ステップＳＴ３０）。
【００２８】
次に、制御部１３は、チャンネル番号を一つ進め（ステップＳＴ３１）、最後のチャンネル４まで診断が終了したかを判定する（ステップＳＴ３２）。ステップＳＴ３２で最後のチャンネル４まで診断が終了していない場合、制御部１３は、最後のチャンネル４の診断が終了するまでステップＳＴ２８からステップＳＴ３２までの処理を行う。また、ステップＳＴ３２で最後のチャンネル４まで診断が終了している場合、制御部１３は、異常項目または要検査項目があれば、音響機器２０の表示部２４へ該測定項目、判定コード（ＥＲＲ０〜ＥＲＲ２）およびそのチャンネル番号を表示するように指示する。音響機器２０の制御部２６は、診断機器１０からの指示に基づき、測定項目およびチャンネル番号を診断結果と共に表示部２４へ表示して（ステップＳＴ２７）、その動作を終了する。
【００２９】
以上のように、この実施の形態１による音響診断システムは、診断用の波形信号を記憶した波形メモリ部１４ｄと、前記波形信号に基づき音響機器２０のスピーカ２３から出力された音波を収集するマイクロホン部１１と、マイクロホン部１１で集音された音波の波形信号を記憶する集音メモリ部１４ｅ  と、音響機器２０の診断を行うための規格値を予め記憶した診断メモリ１４ａと、集音メモリ部１４ｅ  に記憶された波形信号を演算した後、前記規格値と比較する制御部１３とを備えた診断機器１０と、診断手順を記憶する記憶部２５と、該診断に基づいて、診断機器１０の波形メモリ部１４ｄに記憶された波形信号を読み込んで該波形信号に基づきスピーカ２３から音波を放射する制御部２６とを備えた音響機器２０とを有するようにしたので、容易かつ確実に音響機器を診断できる効果がある。また、診断結果に誤差が生じないという効果がある。
【００３０】
また、診断結果を診断メモリ１４ａへ記憶するようにしたので、診断機器１０をパソコン等に接続してインターネットを介して該診断結果をサービスセンター等に送信してより詳細な診断を行い、指示を得るように構成することも可能である。また、診断機器１０に、診断可能な音響機器２０の仕様を記憶した仕様メモリ部１４ｂを備えるようにしたので、診断可能な音響機器２０のみを適切に診断できる効果がある。また、診断機器１０用に独立した電源を用いないので車載の音響機器２０に使用する場合に利便性が高いという効果がある。
【００３１】
実施の形態２．
図１１は、この実施の形態２による診断機器１０の構成を示した図である。実施の形態１では、音響機器２０の記憶部２５に、診断手順であるシーケンスプログラムを記憶するように構成したが、この実施の形態２では、診断機器１０に診断手順であるシーケンスプログラムを記憶するシーケンスメモリ部（第５記憶部）１４ｆを備えた構成について説明する。その他の構成については、実施の形態１と同様であるため、同一の符号を付してその説明を省略する。
【００３２】
図１２は、シーケンスメモリ部１４ｆに記憶されたシーケンスプログラムの内容を示した図であり、測定に使用する波形信号が記憶されたアドレスと各シーケンスが記憶されたアドレスが関連付けて記憶されている。シーケンス１では、測定項目ＡからＣで使用する波形信号が記憶されているアドレスとその測定手順であるシーケンスが記憶されており、シーケンス２では、診断に使用する集音メモリ部１４ｅに記憶された波形信号のアドレスとその診断手順であるシーケンスが記憶されている。
【００３３】
次に動作について説明する。
音響機器２０のＵＳＢ端子２１に、診断機器１０のＵＳＢＩ／Ｆ１２を接続すると、音響機器２０から電力が供給され、診断機器１０の電源がオンとなる。診断機器１０のＵＳＢＩ／Ｆ１２の通信線Ｄ＋／Ｄ−端子は、どちらか一方の電圧がハイになっており、音響機器２０により、通信線Ｄ＋／Ｄ−端子の電圧および通信速度が検出された後、電圧がハイからローへ引き下げられＲＥＳＥＴが行われる。次に、音響機器２０は、診断機器１０に対して、デバイス情報を要求することによりコンフィギュレーションを実行して、リンクを確立する。
【００３４】
次に、音響機器２０の制御部２６は、診断機器１０の仕様メモリ部１４ｂに記憶されたＶＥＮＤＥＲ＿ＩＤ、ＰＲＯＤＵＣＴ＿ＩＤ、型名を確認するため、「ＣＭＤ＿ＧＥＴ、開始アドレス、型名、ＶＥＮＤＯＲ＿ＩＤ、ＲＥＳＰ＝ＯＫ」と送信する。ここで、ＣＭＤ＿ＧＥＴはメモリ内のデータを送信するように要求する命令、ＶＥＮＤＯＲ＿ＩＤ、型名は送信を要求するデータ、ＲＥＳＰ＝ＯＫは送信最後の２文字（ＯＫ）の送信を要求するパラメータである。
【００３５】
診断機器１０の制御部１３は、音響機器２０から命令を受信すると、要求されたＶＮＤＯＲ＿ＩＤを仕様メモリ部１４ｂから読み出して音響機器２０の制御部２６へ送信する。ここでは、まずＶＮＤＯＲ＿ＩＤのみが送信され、型名はブランクとして送信される。次に、音響機器２０の制御部２６は、送信されたＶＥＮＤＯＲ＿ＩＤが、記憶部２５に記憶されたＶＥＮＤＯＲ＿ＩＤと一致するかを確認し、一致する場合には再度、「ＣＭＤ＿ＧＥＴ、開始アドレス、型名コード、ＶＥＮＤＯＲ＿ＩＤ、ＲＥＳＰ＝ＯＫ」と送信する。
【００３６】
診断機器１０の制御部１３は、音響機器２０から命令を受信すると、要求された型名コードを仕様メモリ部１４ｂから読み出して音響機器２０の制御部２６へ送信する。次に、音響機器２０の制御部２６は、送信された型名の上位５文字（初めの５文字）が、記憶部２５に記憶された型名と一致するかを確認し、一致する場合には「ＯＫ」と送信する。次に、制御部２６は、表示部２４に選局ボタンのマークを表示し、該選局ボタンのマークがユーザにより２秒以上押されると、「ＣＭＤ＿ＧＥＴ、手順１、  、ＲＥＳＰ＝ＯＫ」と送信する。
【００３７】
診断機器１０の制御部１３は、音響機器２０から命令を受信すると、シーケンスメモリ１４ｆより手順１を読み込んで、音響機器２０へ送信する。次に音響機器２０の制御部２６は、手順１に関連付けられた波形信号のアドレスに基づき、手順１で必要とされる波形信号を、診断機器１０の制御部１３へ要求し、制御部１３は、要求された波形信号を波形メモリ部１４ｄより取得して音響機器に送信する。音響機器２０の制御部２６は、波形信号を受信すると、「ＣＭＤ＿ＧＥＴ、手順２、  、ＲＥＳＰ＝ＯＫ」を診断機器１０へ送信し、手順２を受信する。制御部２６は、手順２に基づき測定処理を実行し、手順２の実行が終了すると、同様にして手順３、手順４と順次実行して最後の手順が終了するまで処理を実行する。
【００３８】
以上のように、診断機器１０に診断手順であるシーケンスプログラムを記憶するシーケンスメモリ部１４ｆを備え、音響機器２０が該シーケンスプログラムを読み出して該シーケンスに基づき診断を実行するように構成したので、音響機器２０にシーケンスプログラムが無くとも診断を実行できるという効果がある。その他の効果は実施の形態１と同様である。
【００３９】
実施の形態３．
図１３は、この実施の形態３による音響診断システムの要部となる構成を示した図である。実施の形態１では、診断機器１０にマイクロホン部１１を備え、マイクロホン部１１で音響機器２０のスピーカ２３ａから２３ｄから放射された音波を集音したが、この実施の形態３では、ＵＳＢＩ／Ｆ３０ｅを有するマイク３０を使用した形態について説明する。マイク３０は、音響機器２０のスピーカ２３ａから２３ｄから放射された音波を収集する電気音響変換部３０ａ、電気音響変換部３０ａで収集した音波を増幅するアンプ３０ｂ、アンプ３０ｂから出力されたアナログ信号をデジタル信号へ変換するＡ／Ｄ変換部３０ｃ、演算処理を行うＣＰＵ（Central Processing Unit）３０ｄ、ＨＵＢ（ハブ）４０と接続するためのＵＳＢＩ／Ｆ部３０ｅとを備える。また、ＨＵＢ４０は、複数のＵＳＢＩ／Ｆ４０ａを備え、診断機器１０、音響機器２０、マイク３０はそれぞれＨＵＢ４０を介して接続される。その他の構成については、実施の形態１と同様であるため、同一の符号を付してその説明を省略する。
【００４０】
次に動作について説明する。
診断機器１０、音響機器２０、マイク３０がＨＵＢ４０に接続されると、ＨＵＢ４０が接続された診断機器１０、音響機器２０、マイク３０を検出して、それぞれをＲＥＳＥＴして、通信を確立する。次に、音響機器２０が、診断機器１０、マイク３０へ固有識別子（アドレス）を割り振り、デバイスＩＤを取得して、コンフィギュレーションを確認する。その後の動作は、実施の形態１と同様であるためその説明を省略する。
【００４１】
以上のように、ＵＳＢＩ／Ｆ３０ｅを備えたマイク３０があれば、診断機器１０のマイクロホン部１１を省略でき、製造コストを削減できるという効果がある。その他の効果は実施の形態１と同様である。また、実施の形態２と同様に、診断機器１０に診断手順であるシーケンスプログラムを記憶するシーケンスメモリ部１４ｆを備えるように構成してもよい。この場合、実施の形態２と同様の効果がある。
【００４２】
なお、実施の形態１から３では、音響機器２０の制御部２６が、シーケンスプラグラムを実行したが、診断機器１０の制御部１３がシーケンスプラグラムを実行し、該シーケンスプラグラムに基づき音響機器２０の制御部２６へ手順を指示するように構成してもよい。
【図面の簡単な説明】
【００４３】
【図１】この実施の形態１による音響診断システムを示した図である。
【図２】この実施の形態１による診断機器の構成図である。
【図３】診断メモリに記憶された情報を示した図である。
【図４】仕様メモリ部１４ｂに記憶された情報の一例を示した図である。
【図５】測定メモリ部に記憶された情報を示した図である。
【図６】測定項目Ａの測定時に得られる波形信号の一例である。
【図７】測定項目Ｂの測定時に得られる波形信号の一例である。
【図８】測定項目Ｃの測定時に得られる波形信号の一例である。
【図９】この実施の形態１による音響機器と診断機器の集音動作を示したフローチャートである。
【図１０】この実施の形態１による診断機器の診断動作を示したフローチャートである。
【図１１】この実施の形態２による診断機器１０の構成を示した図である。
【図１２】シーケンスメモリ部に記憶された内容を示した図である。
【図１３】この実施の形態３による音響診断システムの要部となる構成を示した図である。
【符号の説明】
【００４４】
１０  診断機器、１１  マイクロホン部、１１ａ  電気音響変換部、１１ｂ  アンプ、１１ｃ  Ａ／Ｄ変換部、１２  ＵＳＢＩ／Ｆ（接続端子）、１３  制御部、１４  記憶部、１４ａ  診断メモリ部（第３記憶部）、１４ｂ  仕様メモリ部、１４ｃ  測定メモリ部、１４ｄ  波形メモリ部（第１記憶部）、１４ｅ  集音メモリ部（第２記憶部）、１４ｆ  シーメンスメモリ部（第５記憶部）、２０  音響機器、２１  ＵＳＢ端子（接続端子）、２２ａ，２２ｂ，２２ｃ，２２ｄ  アンプ、２３ａ，２３ｂ，２３ｃ，２３ｄ  スピーカ、２４  表示部、２５  記憶部（第４記憶部）、２６  制御部、３０  マイク、３０ａ  電気音響変換部、３０ｂ  アンプ、３０ｃ  Ａ／Ｄ変換部、３０ｄ  ＣＰＵ、３０ｅ  ＵＳＢＩ／Ｆ部、４０  ＨＵＢ、４０ａ  ＵＳＢＩ／Ｆ。
【図１】
0005105977.tif 000003
【図２】
0005105977.tif 000004
【図３】
0005105977.tif 000005
【図４】
0005105977.tif 000006
【図５】
0005105977.tif 000007
【図６】
0005105977.tif 000008
【図７】
0005105977.tif 000009
【図８】
0005105977.tif 000010
【図９】
0005105977.tif 000011
【図１０】
0005105977.tif 000012
【図１１】
0005105977.tif 000013
【図１２】
0005105977.tif 000014
【図１３】
0005105977.tif 000015